(57)【要約】【課題】発光手段の発光と関連する撮影制御を適正に行う。【解決手段】撮像装置１００であって、撮像部３により撮影される被写体の撮影条件を、被写体に係る第１の情報を用いた第１の制御方法により制御する第１撮影制御部６ｂと、撮像部の撮影画角内から被写体としてのヒトの顔を検出する顔検出部４ａと、第１撮影制御部による第１の制御方法での被写体の撮影条件の制御の際に発光部５を発光させるとともに、顔検出部によりヒトの顔が検出されると、発光部の発光量を低減させる発光制御部６ｃと、発光部５の発光量を低減させた場合に、被写体の撮影条件を、第１の制御方法とは異なる第２の制御方法により制御する第２撮影制御部６ｄと、を備えている。【選択図】図１
2017011636.tif 000002
【特許請求の範囲】
【請求項１】
撮像手段と、
前記撮像手段による被写体の撮影の際に発光可能な発光手段と、
前記撮像手段により撮影される被写体の撮影条件を、被写体に係る第１の情報を用いた第１の制御方法により制御する第１撮影制御手段と、
前記撮像手段の撮影画角内から被写体としてのヒトの顔を検出する検出手段と、
前記第１撮影制御手段による前記第１の制御方法での被写体の撮影条件の制御の際に前記発光手段を発光させるとともに、前記検出手段によりヒトの顔が検出されると、前記発光手段の発光量を低減させる発光制御手段と、
前記発光制御手段により前記発光手段の発光量を低減させた場合に、被写体の撮影条件を、前記第１の制御方法とは異なる第２の制御方法により制御する第２撮影制御手段と、
を備えたことを特徴とする撮像装置。
【請求項２】
前記撮像手段による被写体の撮影の際の撮影条件の制御に用いられる前記第１の情報を取得する取得手段を更に備え、
前記第２撮影制御手段は、前記発光制御手段により前記発光手段の発光量を低減させたことに起因して前記取得手段により取得される前記第１の情報の確度が低くなる場合に、前記撮像手段により被写体を撮影する際の撮影条件を、前記第１の情報とは異なる情報であって前記検出手段により検出されたヒトの顔に係る第２の情報を用いた前記第２の制御方法により制御することを特徴とする請求項１に記載の撮像装置。
【請求項３】
前記取得手段は、前記撮像手段による被写体の本撮影前の仮撮影にて、当該本撮影の際の撮影条件の制御に用いられる前記第１の情報を取得し、
前記第２撮影制御手段は、前記発光制御手段により前記発光手段の発光量を低減させたことに起因して前記取得手段により取得される前記第１の情報の確度が低くなる場合に、前記撮像手段により被写体を本撮影する際の撮影条件を、前記第１の情報とは異なる情報であって前記検出手段により検出されたヒトの顔に係る第２の情報を用いた前記第２の制御方法により制御することを特徴とする請求項２に記載の撮像装置。
【請求項４】
前記取得手段は、前記撮像手段により撮影された被写体の画像のコントラスト情報を取得し、
前記第１撮影制御手段は、前記取得手段により取得された前記コントラスト情報を用いたコントラスト方式の第１の自動合焦制御方法によって、前記撮像手段により被写体を撮影する際の合焦位置を制御し、
前記第２撮影制御手段は、前記発光制御手段により前記発光手段の発光量を低減させたことに起因して前記取得手段により取得される前記コントラスト情報の評価値が低くなる場合に、前記検出手段により検出されたヒトの顔の大きさ情報を用いて特定される被写体までの距離情報に基づく第２の自動合焦制御方法によって、前記撮像手段により被写体を撮影する際の合焦位置を制御することを特徴とする請求項２又は３に記載の撮像装置。
【請求項５】
前記発光制御手段は、前記検出手段によるヒトの顔を検出する処理にて、当該ヒトの顔を検出する処理には十分で、且つ、自動合焦制御には十分でない発光量で前記発光手段を発光させることを特徴とする請求項４に記載の撮像装置。
【請求項６】
前記発光制御手段は、前記検出手段によるヒトの顔を検出する処理にて、当該ヒトの顔を検出する処理には十分で、且つ、検出されるヒトに対する前記発光手段の発光の眩しさを低減させた発光量で前記発光手段を発光させることを特徴とする請求項４に記載の撮像装置。
【請求項７】
前記取得手段は、前記撮像手段により撮影された被写体に対する合焦結果に基づいて被写体までの距離情報を取得し、
前記第１撮影制御手段は、前記取得手段により取得された前記距離情報に基づく第１の発光制御方法によって、前記撮像手段により被写体を撮影する際の前記発光手段の発光条件を決定する制御を行い、
前記第２撮影制御手段は、前記発光制御手段により前記発光手段の発光量を低減させたことに起因して前記取得手段により取得される前記距離情報の確度が低くなる場合に、前記検出手段により検出されたヒトの顔の大きさ情報を用いて特定される被写体までの距離情報に基づく第２の発光制御方法によって、前記撮像手段により被写体を本撮影する際の前記発光手段の発光条件を決定する制御を行うことを特徴とする請求項２又は３に記載の撮像装置。
【請求項８】
前記発光制御手段は、前記検出手段によりヒトの顔が検出されると、検出されたヒトに対する前記発光手段の発光の眩しさを低減させるように発光量を低減させることを特徴とする請求項１〜７の何れか一項に記載の撮像装置。
【請求項９】
前記第１撮影制御手段は、前記撮像手段により撮影される被写体が十分な明るさとなるように当該被写体までの距離に応じて発光量を変化させる第１の変化方法によって、前記発光手段の発光条件を決定する制御を行い、
前記第２撮影制御手段は、前記検出手段によりヒトの顔が検出された場合に、検出されたヒトに対する前記発光手段の発光の眩しさを低減させるように当該被写体までの距離に応じて発光量を変化させる前記第１の変化方法とは異なる第２の変化方法によって、前記発光手段の発光条件を決定する制御を行うことを特徴とする請求項２に記載の撮像装置。
【請求項１０】
前記第１の変化方法及び前記第２の変化方法は、前記検出手段により検出されるヒトの顔の有無と、前記撮像手段により被写体の動画像を撮影するか或いは静止画像を撮影するかの撮影条件との組み合わせに基づいて、切り替えられることを特徴とする請求項９に記載の撮像装置。
【請求項１１】
前記第１の変化方法及び前記第２の変化方法は、前記検出手段により検出されるヒトの顔の有無と、被写体の撮影モードが自分撮りモードであるか否かの撮影条件との組み合わせに基づいて、切り替えられることを特徴とする請求項９又は１０に記載の撮像装置。
【請求項１２】
撮像手段と、前記撮像手段による被写体の撮影の際に発光可能な発光手段と、を備える撮像装置を用いた撮像方法であって、
前記撮像手段により撮影される被写体の撮影条件を、被写体に係る第１の情報を用いた第１の制御方法により制御する第１撮影制御ステップと、
前記撮像手段の撮影画角内から被写体としてのヒトの顔を検出する検出ステップと、
前記第１撮影制御ステップによる前記第１の制御方法での被写体の撮影条件の制御の際に前記発光手段を発光させるとともに、前記検出ステップによりヒトの顔が検出されると、前記発光手段の発光量を低減させる発光制御ステップと、
前記発光制御ステップにより前記発光手段の発光量を低減させた場合に、被写体の撮影条件を、前記第１の制御方法とは異なる第２の制御方法により制御する第２撮影制御ステップと、
を含むことを特徴とする撮像方法。
【請求項１３】
撮像手段と、前記撮像手段による被写体の撮影の際に発光可能な発光手段と、を備える撮像装置が有するコンピュータを、
前記撮像手段により撮影される被写体の撮影条件を、被写体に係る第１の情報を用いた第１の制御方法により制御する第１撮影制御手段、
前記撮像手段の撮影画角内から被写体としてのヒトの顔を検出する検出手段、
前記第１撮影制御手段による前記第１の制御方法での被写体の撮影条件の制御の際に前記発光手段を発光させるとともに、前記検出手段によりヒトの顔が検出されると、前記発光手段の発光量を低減させる発光制御手段、
前記発光制御手段により前記発光手段の発光量を低減させた場合に、被写体の撮影条件を、前記第１の制御方法とは異なる第２の制御方法により制御する第２撮影制御手段、
として機能させることを特徴とするプログラム。
【発明の詳細な説明】
【技術分野】
【０００１】
本発明は、撮像装置、撮像方法及びプログラムに関する。
【背景技術】
【０００２】
従来、例えば、被写体の本撮影の前に発光手段を発光させて行われる仮撮影において、被写体がヒト以外の場合には被写体が十分な明るさとなるように発光手段の発光量を設定し、その一方で、被写体がヒトの場合には発光手段の発光が眩しくないように発光量を低減する技術が知られている（例えば、特許文献１、２参照）。
【先行技術文献】
【特許文献】
【０００３】
【特許文献１】特開２００３−１０７５６７号公報
【特許文献２】特開２０１４−０１６４１５号公報
【発明の概要】
【発明が解決しようとする課題】
【０００４】
しかしながら、上記特許文献等の場合、被写体がヒトの場合に発光手段の発光量を低減させたことに起因して撮影に必要な被写体の明るさが確保できなくなり、例えば、ＡＦ（自動合焦制御）やＡＥ（自動露出制御）等の発光手段の発光が関連する撮影制御を適正に行うことができない虞がある。
【０００５】
本発明は、このような問題に鑑みてなされたものであり、本発明の課題は、発光手段の発光と関連する撮影制御を適正に行うことができる撮像装置、撮像方法及びプログラムを提供することである。
【課題を解決するための手段】
【０００６】
上記課題を解決するため、本発明に係る撮像装置は、
撮像手段と、
前記撮像手段による被写体の撮影の際に発光可能な発光手段と、
前記撮像手段により撮影される被写体の撮影条件を、被写体に係る第１の情報を用いた第１の制御方法により制御する第１撮影制御手段と、
前記撮像手段の撮影画角内から被写体としてのヒトの顔を検出する検出手段と、
前記第１撮影制御手段による前記第１の制御方法での被写体の撮影条件の制御の際に前記発光手段を発光させるとともに、前記検出手段によりヒトの顔が検出されると、前記発光手段の発光量を低減させる発光制御手段と、
前記発光制御手段により前記発光手段の発光量を低減させた場合に、被写体の撮影条件を、前記第１の制御方法とは異なる第２の制御方法により制御する第２撮影制御手段と、
を備えたことを特徴としている。
【０００７】
また、本発明に係る撮像方法は、
撮像手段と、前記撮像手段による被写体の撮影の際に発光可能な発光手段と、を備える撮像装置を用いた撮像方法であって、
前記撮像手段により撮影される被写体の撮影条件を、被写体に係る第１の情報を用いた第１の制御方法により制御する第１撮影制御ステップと、
前記撮像手段の撮影画角内から被写体としてのヒトの顔を検出する検出ステップと、
前記第１撮影制御ステップによる前記第１の制御方法での被写体の撮影条件の制御の際に前記発光手段を発光させるとともに、前記検出ステップによりヒトの顔が検出されると、前記発光手段の発光量を低減させる発光制御ステップと、
前記発光制御ステップにより前記発光手段の発光量を低減させた場合に、被写体の撮影条件を、前記第１の制御方法とは異なる第２の制御方法により制御する第２撮影制御ステップと、
を含むことを特徴としている。
【０００８】
また、本発明に係るプログラムは、
撮像手段と、前記撮像手段による被写体の撮影の際に発光可能な発光手段と、を備える撮像装置が有するコンピュータを、
前記撮像手段により撮影される被写体の撮影条件を、被写体に係る第１の情報を用いた第１の制御方法により制御する第１撮影制御手段、
前記撮像手段の撮影画角内から被写体としてのヒトの顔を検出する検出手段、
前記第１撮影制御手段による前記第１の制御方法での被写体の撮影条件の制御の際に前記発光手段を発光させるとともに、前記検出手段によりヒトの顔が検出されると、前記発光手段の発光量を低減させる発光制御手段、
前記発光制御手段により前記発光手段の発光量を低減させた場合に、被写体の撮影条件を、前記第１の制御方法とは異なる第２の制御方法により制御する第２撮影制御手段、
として機能させることを特徴としている。
【発明の効果】
【０００９】
本発明によれば、発光手段の発光と関連する撮影制御を適正に行うことができる。
【図面の簡単な説明】
【００１０】
【図１】本発明を適用した一実施形態の撮像装置の概略構成を示すブロック図である。
【図２】図１の撮像装置による撮影処理に係る動作の一例を示すフローチャートである。
【図３】図２の撮影処理の続きを示すフローチャートである。
【図４】撮像装置の変形例に係る発光部の発光量と被写体までの距離との対応関係を説明するための図である。
【発明を実施するための形態】
【００１１】
以下に、本発明について、図面を用いて具体的な態様を説明する。ただし、発明の範囲は、図示例に限定されない。
【００１２】
図１は、本発明を適用した一実施形態の撮像装置１００の概略構成を示すブロック図である。
図１に示すように、本実施形態の撮像装置１００は、具体的には、中央制御部１と、メモリ２と、撮像部３と、画像処理部４と、発光部５と、動作制御部６と、画像記録部７と、表示部８と、操作入力部９とを備えている。
また、中央制御部１、メモリ２、撮像部３、画像処理部４、発光部５、動作制御部６、画像記録部７及び表示部８は、バスライン１０を介して接続されている。
【００１３】
中央制御部１は、撮像装置１００の各部を制御するものである。具体的には、中央制御部１は、図示は省略するが、ＣＰＵ（Central Processing Unit）等を備え、撮像装置１００用の各種処理プログラム（図示略）に従って各種の制御動作を行う。
【００１４】
メモリ２は、例えば、ＤＲＡＭ（Dynamic Random Access Memory）等により構成され、中央制御部１、動作制御部６等によって処理されるデータ等を一時的に格納する。
【００１５】
撮像部（撮像手段）３は、所定の被写体（例えば、ヒト等）を撮影してフレーム画像を生成する。具体的には、撮像部３は、レンズ部３ａと、電子撮像部３ｂと、撮像制御部３ｃとを備えている。
【００１６】
レンズ部３ａは、例えば、ズームレンズやフォーカスレンズ等の複数のレンズから構成されている。
電子撮像部３ｂは、例えば、ＣＣＤ（Charge Coupled Device）やＣＭＯＳ（Complementary Metal-Oxide Semiconductor）等のイメージセンサ（撮像素子）から構成されている。そして、電子撮像部３ｂは、レンズ部３ａの各種レンズを通過した光学像を二次元の画像信号に変換する。
【００１７】
撮像制御部３ｃは、図示は省略するが、タイミング発生器、ドライバなどを備えている。そして、撮像制御部３ｃは、タイミング発生器、ドライバにより電子撮像部３ｂを走査駆動して、レンズ部３ａを通過した光学像を電子撮像部３ｂにより所定周期毎に二次元の画像信号に変換させ、当該電子撮像部３ｂの撮像領域から１画面分ずつフレーム画像を読み出して画像処理部４に出力させる。
【００１８】
なお、撮像部３は、レンズ部３ａ、電子撮像部３ｂ及び撮像制御部３ｃに加えて、レンズ部３ａを通過する光の量を調整する絞り、ズームレンズを光軸方向に移動させるズーム駆動部、フォーカスレンズを光軸方向に移動させる合焦駆動部等（何れも図示略）を備えていても良い。
【００１９】
画像処理部４は、電子撮像部３ｂから転送されたフレーム画像のアナログ値の信号に対して各種の画像信号処理を施す。具体的には、画像処理部４は、電子撮像部３ｂから転送されたフレーム画像のアナログ値の信号に対してＲＧＢの色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。
また、カラープロセス回路から出力される輝度信号Ｙ及び色差信号Ｃｂ，Ｃｒは、図示しないＤＭＡコントローラを介して、バッファメモリとして使用されるメモリ２にＤＭＡ転送される。
【００２０】
また、画像処理部４は、処理対象となる画像から顔領域を検出する顔検出部４ａを具備している。
すなわち、顔検出部（検出手段）４ａは、撮像部３の撮影画角内から被写体としてのヒトの顔を検出する。具体的には、顔検出部４ａは、撮像部３により撮影されて画像処理部４により生成されたライブビュー画像の画像データに対して所定のアルゴリズムを用いた顔検出処理を行って、撮像部３の撮影範囲に対応するライブビュー画像からヒトの顔が含まれる顔領域を検出する。
なお、顔検出処理は、公知の技術であるので、ここでは詳細な説明を省略する。
【００２１】
発光部（発光手段）５は、撮像部３による被写体の撮影の際に発光可能となっている。
すなわち、発光部５は、例えば、ＬＥＤ（Light Emitting Diode）やキセノンランプ等から構成されている。そして、例えば、撮影モードが静止画像撮影モードや動画像撮影モードの場合に、発光部５は、動作制御部６の第１撮影制御部６ｂや第２撮影制御部６ｄ（後述）の制御下にて、ユーザによる操作入力部９のシャッタボタンの所定操作（例えば、半押し操作や全押し操作等）に基づいて所定の発光条件（例えば、発光強度や発光時間等）で発光する。
なお、発光部５の発光を制御する方法については後述する。
【００２２】
動作制御部６は、情報取得部６ａと、第１撮影制御部６ｂと、発光制御部６ｃと、第２撮影制御部６ｄとを具備している。
なお、動作制御部６の各部は、例えば、所定のロジック回路から構成されているが、当該構成は一例であってこれに限られるものではない。
【００２３】
情報取得部（取得手段）６ａは、撮像部３による被写体の撮影の際の撮影条件の制御に用いられ、当該被写体に係る第１の情報を取得する。
すなわち、情報取得部６ａは、撮像部３による被写体の本撮影前の仮撮影にて、当該本撮影の際の撮影条件の制御に用いられる第１の情報を取得する。
具体的には、情報取得部６ａは、撮像部３により撮影された被写体の画像のコントラスト情報を取得する。例えば、情報取得部６ａは、撮像部３により被写体が撮影されて画像処理部４により生成された被写体画像の画像データを取得し、当該被写体画像内のコントラスト評価領域の画像のコントラストの高低（評価値）を示すコントラスト情報を取得する。
また、情報取得部６ａは、撮像部３により撮影された被写体に対する合焦結果に基づいて被写体までの距離情報を取得する。例えば、情報取得部６ａは、撮像部３により撮影される被写体に合焦した状態でのレンズ部３ａのフォーカスレンズの光軸方向の位置に基づいて、被写体までの距離を所定の換算手段（例えば、換算プログラムや換算テーブル等）により算出し、距離情報として取得する。
【００２４】
第１撮影制御部６ｂは、被写体の撮影条件を第１の制御方法により制御する。
ここで、被写体の撮影条件は、例えば、ＡＦ（自動合焦制御）、ＡＥ（自動露出制御）、ＡＷＢ（自動ホワイトバランス制御）、発光部５の発光制御等により調整される被写体を撮影する際の各種のパラメータである。具体的には、例えば、自動合焦制御により調整されるフォーカスレンズの合焦位置、自動露出制御により調整される露光時間や絞り値やＩＳＯ感度、自動ホワイトバランス制御により調整される色、発光制御により調整される発光部５の発光量や発光強度や発光時間などの発光条件等が挙げられる。
【００２５】
すなわち、第１撮影制御部（第１撮影制御手段）６ｂは、撮像部３により撮影される被写体の撮影条件を、被写体に係る第１の情報を用いた第１の制御方法により制御する。例えば、第１撮影制御部６ｂは、撮像部３による被写体の仮撮影にて情報取得部６ａにより取得された第１の情報を用いた第１の制御方法により、被写体の撮影条件を制御する。
具体的には、第１撮影制御部６ｂは、情報取得部６ａにより取得されたコントラスト情報を用いたコントラスト方式の第１の自動合焦制御方法によって、撮像部３により被写体を撮影（例えば、仮撮影や本撮影等）する際の合焦位置を制御する。例えば、第１撮影制御部６ｂは、情報取得部６ａにより取得されたコントラスト情報の評価値（コントラストの高低）に基づいて、コントラストが最も高くなるようにレンズ部３ａのフォーカスレンズの合焦位置を調整する。
また、第１撮影制御部６ｂは、情報取得部６ａにより取得された被写体までの距離情報に基づく第１の発光制御方法によって、撮像部３により被写体を撮影（例えば、仮撮影や本撮影等）する際の発光部５の発光条件を決定する制御を行う。例えば、第１撮影制御部６ｂは、情報取得部６ａにより取得された距離情報に基づいて、被写体までの距離に応じて発光量（ガイドナンバー）を変化させるように発光部５の発光強度や発光時間等を決定する。
【００２６】
発光制御部（発光制御手段）６ｃは、発光部５の発光を制御する。
すなわち、発光制御部６ｃは、第１撮影制御部６ｂによる第１の制御方法（例えば、第１の自動合焦制御方法や第１の発光制御方法等）での被写体の撮影条件の制御の際に発光部５を発光させる。ここでの発光部５の発光量は、顔検出部４ａによるヒトの顔を検出する処理にて、当該ヒトの顔を検出する処理には十分な程度の最低限度の発光量であるが、コントラスト方式の第１の自動合焦制御には十分でない発光量を含み、また、顔検出部４ａにより検出されるヒトに対する発光部５の発光の眩しさを低減させた発光量を含む。
なお、ヒトに対する発光部５の発光の眩しさを低減させた発光量は、経験的に求められるものであり、例えば、予めヒトが眩しく感じる最低の発光量の平均値を測定しておき、当該最低の発光量の平均値よりも低減させるように調整した発光量等を含む。
【００２７】
また、発光制御部６ｃは、顔検出部４ａにより撮像部３の撮影画角内から被写体としてのヒトの顔が検出されると、発光部５の発光量を低減させる。具体的には、発光制御部６ｃは、検出されたヒトに対する発光部５の発光の眩しさを低減させるように当該発光部５の発光強度や発光時間を調整して発光量を低減させる。このとき、発光制御部６ｃは、点灯している発光部５を消灯させることで、ヒトに対する発光部５の発光の眩しさを低減させるようにしても良い。
【００２８】
第２撮影制御部６ｄは、被写体の撮影条件を第２の制御方法により制御する。
すなわち、第２撮影制御部（第２撮影制御手段）６ｄは、発光制御部６ｃにより発光部５の発光量を低減させた場合に、被写体の撮影条件を、第１の制御方法とは異なる第２の制御方法により制御する。
具体的には、発光制御部６ｃにより発光部５の発光量を低減させたことに起因して、例えば、コントラスト方式の第１の自動合焦制御方法によって合焦できなくなり、第１の制御方法による制御結果（例えば、合焦結果）の信頼性が低くなる。つまり、情報取得部６ａにより取得されるコントラスト情報や距離情報（第１の情報）の確からしさを表す確度が低くなる。この場合に、第２撮影制御部６ｄは、撮像部３により被写体を本撮影する際の撮影条件を、第１の情報とは異なる情報であって顔検出部４ａにより検出されたヒトの顔に係る第２の情報（例えば、ヒトの顔の大きさ情報等）を用いた第２の制御方法により制御する。
また、発光部５の発光量を低減させたことに起因して、第１の制御方法による制御結果の信頼性が低くなる場合としては、コントラスト情報や距離情報の確度が正常位置（合焦すべき本来の距離）で低くなる場合の他に、確度が正常位置とは異なる位置で高くなってしまうような誤検出など、コントラスト情報や距離情報の取得精度が低下することが原因である場合が考えられる。
【００２９】
例えば、第２撮影制御部６ｄは、発光制御部６ｃにより発光部５の発光量を低減させたことに起因して情報取得部６ａにより取得されたコントラスト情報の評価値が低くなる場合に、顔検出部４ａにより検出されたヒトの顔の大きさ情報（画素数）を用いて特定される被写体までの距離情報に基づく第２の自動合焦制御方法によって、撮像部３により被写体を本撮影する際の合焦位置を制御する。例えば、第２撮影制御部６ｄは、顔検出部４ａにより検出されたヒトの顔の大きさ情報を用いて、被写体までの距離を所定の換算手段（例えば、換算プログラムや換算テーブル等）により算出する。そして、第２撮影制御部６ｄは、算出された被写体までの距離、レンズ部３ａの焦点距離や絞り値、許容錯乱円径等に基づいて、レンズ部３ａのフォーカスレンズの合焦位置を算出する。
また、第２撮影制御部６ｄは、発光制御部６ｃにより発光部５の発光量を低減させたことに起因して情報取得部６ａにより取得された距離情報の確度が低くなる場合に、顔検出部４ａにより検出されたヒトの顔の大きさ情報を用いて特定される被写体までの距離情報に基づく第２の発光制御方法によって、撮像部３により被写体を本撮影する際の発光部５の発光条件を決定する制御を行う。例えば、第２撮影制御部６ｄは、顔検出部４ａにより検出されたヒトの顔の大きさ情報を用いて、被写体までの距離を所定の換算手段（例えば、換算プログラムや換算テーブル等）により算出する。そして、第２撮影制御部６ｄは、算出された被写体までの距離に応じて発光量を変化させるように発光部５の発光強度や発光時間等を決定する。
【００３０】
画像記録部７は、例えば、不揮発性メモリ（フラッシュメモリ）等により構成され、画像処理部４の符号化部（図示略）により所定の圧縮形式（例えば、ＪＰＥＧ形式、ＭＰＥＧ形式等）で符号化された静止画像や動画像の記録用の画像データを記録する。
なお、画像記録部７は、例えば、記録媒体（図示略）が着脱自在に構成され、装着された記録媒体からのデータの読み出しや記録媒体に対するデータの書き込みを制御する構成であっても良い。
【００３１】
表示部８は、表示パネル８ａと、表示制御部８ｂとを具備している。
表示パネル８ａは、表示画面内に画像を表示する。なお、表示パネル８ａとしては、例えば、液晶表示パネルや有機ＥＬ（Electro-Luminescence）表示パネルなどが挙げられるが、一例であってこれらに限られるものではない。
【００３２】
表示制御部８ｂは、メモリ２に一時的に格納されている表示用の画像データを読み出して、画像処理部４により復号された所定サイズの画像データに基づいて、所定の画像を表示パネル８ａの表示画面に表示させる制御を行う。具体的には、表示制御部８ｂは、ＶＲＡＭ（Video Random Access Memory）、ＶＲＡＭコントローラ、デジタルビデオエンコーダなど（何れも図示略）を備えている。そして、デジタルビデオエンコーダは、画像処理部４により復号されてＶＲＡＭに記録されている輝度信号Ｙ及び色差信号Ｃｂ，Ｃｒを、ＶＲＡＭコントローラを介してＶＲＡＭから所定の再生フレームレート（例えば、３０ｆｐｓ）で読み出して、これらのデータを元にビデオ信号を発生して表示パネル８ａに出力する。
【００３３】
操作入力部９は、当該撮像装置１００の所定操作を行うためのものである。具体的には、操作入力部９は、被写体の静止画像の撮影指示や動画像の録画開始指示及び録画終了指示に係るシャッタボタン、撮影モードや機能等の選択指示に係る選択決定ボタン、ズーム量の調整指示に係るズームボタン等（何れも図示略）の操作部を備え、当該操作部の各ボタンの操作に応じて所定の操作信号を中央制御部１に出力する。
【００３４】
＜撮影処理＞
次に、撮像装置１００による撮影処理について、図２及び図３を参照して説明する。
図２及び図３は、撮影処理に係る動作の一例を示すフローチャートである。
【００３５】
図２に示すように、先ず、中央制御部１のＣＰＵは、撮影モードが設定されているか否かを判定する（ステップＳ１）。
ここで、撮影モードが設定されていると判定されると（ステップＳ１；ＹＥＳ）、撮像部３は、被写体のライブビュー画像を撮像する処理を開始して、表示部８は、画像処理部４により生成された表示用の画像データに基づいて、ライブビュー画像を表示パネル８ａに表示する（ステップＳ２）。
この状態では、発光部５の状態を問わず、点灯状態であっても消灯状態であっても良い。なお、発光部５を点灯させる場合の発光量は、顔検出部４ａによるヒトの顔を検出する処理にて、当該ヒトの顔を検出する処理には十分な程度の最低限度の発光量であるが、自動合焦制御には十分でない発光量であり、且つ、ヒトに対する発光部５の発光の眩しさを低減させた発光量である。
【００３６】
続けて、ユーザによる操作入力部９のシャッタボタンが半押し操作されると（ステップＳ３）、第１撮影制御部６ｂは、コントラスト方式の自動合焦制御を開始させる（ステップＳ４）。そして、顔検出部４ａは、ライブビュー画像からヒトの顔が含まれる顔領域を検出する処理を行い、撮像部３の撮影画角内からヒトの顔を検出したか否かを判定する（ステップＳ５）。つまり、撮像部３による被写体の本撮影前の仮撮影にて、顔検出部４ａは、撮像部３の撮影画角内からヒトの顔を検出したか否かを判定する。
【００３７】
ステップＳ５にて、ヒトの顔を検出したと判定されると（ステップＳ５；ＹＥＳ）、発光制御部６ｃは、発光部５が点灯状態であるか否かを判定する（ステップＳ６）。
ここで、発光部５が点灯状態であると判定されると（ステップＳ６；ＹＥＳ）、発光制御部６ｃは、発光部５の発光を停止（消灯）させ（ステップＳ７）、情報取得部６ａは、発光部５の点灯状態で撮像されたライブビュー画像内のコントラスト評価領域の画像のコントラストの高低を示すコントラスト情報を逐次取得する（ステップＳ８）。
つまり、発光部５をヒトの顔を検出する処理には十分な程度の最低限度の発光量で発光（点灯）させた状態での被写体の仮撮影にて、ヒトの顔を検出し、コントラスト情報を取得した場合である。
【００３８】
一方、ステップＳ６にて、発光部５が点灯状態でない（消灯状態である）と判定されると（ステップＳ６；ＮＯ）、動作制御部６は、ステップＳ７の処理をスキップして、処理をステップＳ８に移行する。そして、情報取得部６ａは、発光部５の消灯状態で撮像されたライブビュー画像内のコントラスト評価領域の画像のコントラストの高低を示すコントラスト情報を逐次取得する（ステップＳ８）。
つまり、発光部５を消灯させた状態での被写体の仮撮影にて、ヒトの顔を検出し、コントラスト情報を取得した場合である。
【００３９】
また、ステップＳ５にて、ヒトの顔を検出していないと判定されると（ステップＳ４；ＮＯ）、発光制御部６ｃは、発光部５が点灯状態であるか否かを判定する（ステップＳ９）。
ここで、発光部５が点灯状態であると判定されると（ステップＳ９；ＹＥＳ）、情報取得部６ａは、発光部５の点灯状態で撮像されたライブビュー画像内のコントラスト評価領域の画像のコントラストの高低を示すコントラスト情報を取得する（ステップＳ１０）。その後、発光制御部６ｃは、発光部５の発光を停止（消灯）させる（ステップＳ１１）。
つまり、発光部５を点灯させた状態での被写体の仮撮影にて、ヒトの顔を検出せずに、コントラスト情報を取得した場合である。
【００４０】
ステップＳ９にて、発光部５が点灯状態でない（消灯状態である）と判定されると（ステップＳ９；ＮＯ）、発光制御部６ｃは、発光部５を自動合焦制御に十分な発光量で発光（点灯）させる（ステップＳ１２）。そして、情報取得部６ａは、発光部５の点灯状態で撮像されたライブビュー画像内のコントラスト評価領域の画像のコントラストの高低を示すコントラスト情報を取得する（ステップＳ１３）。その後、発光制御部６ｃは、発光部５の発光を停止（消灯）させる（ステップＳ１４）。
つまり、発光部５を消灯させた状態での被写体の仮撮影にて、ヒトの顔を検出していないため、発光部５を自動合焦制御に十分な発光量で発光（点灯）させて、コントラスト情報を取得した場合である。
【００４１】
なお、ステップＳ１にて、撮影モードが設定されていないと判定されると（ステップＳ１；ＮＯ）、中央制御部１のＣＰＵは、例えば、再生処理等のその他の各種処理の実行を制御する（ステップＳ１５）。
【００４２】
図３に示すように、第１撮影制御部６ｂは、情報取得部６ａにより取得されたコントラスト情報に基づいて、例えば、コントラストのピーク値が所定の閾値を超えたか否かに応じて合焦したか否かを判定する（ステップＳ１６）。
ここで、合焦したと判定されると（ステップＳ１６；ＹＥＳ）、第１撮影制御部６ｂは、コントラスト情報を用いて、コントラストが最も高くなるようにレンズ部３ａのフォーカスレンズの合焦位置を調整する（ステップＳ１７）。
【００４３】
その後、情報取得部６ａは、レンズ部３ａのフォーカスレンズの光軸方向の位置に基づいて、被写体までの距離を所定の換算手段（例えば、換算プログラムや換算テーブル等）により算出し、距離情報として取得する（ステップＳ１８）。続けて、第１撮影制御部６ｂは、情報取得部６ａにより取得された距離情報に基づいて、被写体までの距離に応じて撮像部３により被写体を本撮影する際の発光部５の発光量（発光強度や発光時間等）を決定する（ステップＳ１９）。
【００４４】
そして、ユーザによる操作入力部９のシャッタボタンが全押し操作されると（ステップＳ２０）、中央制御部１のＣＰＵは、撮像部３により被写体を本撮影させて、画像処理部４は、撮像部３による被写体の撮影により生成された静止画像の画像データを所定の記録手段（例えば、メモリ２や画像記録部７等）に転送して記録させる（ステップＳ２１）。
【００４５】
一方、ステップＳ１６にて、合焦していないと判定されると（ステップＳ１６；ＮＯ）、顔検出部４ａは、撮像部３の撮影画角内からヒトの顔を検出したか否かを判定する（ステップＳ２２）。ここでの顔を検出したか否かの判定は、ステップＳ５の判定結果を援用しても良い。
【００４６】
ステップＳ２２にて、ヒトの顔を検出したと判定されると（ステップＳ２２；ＹＥＳ）、第２撮影制御部６ｄは、顔検出部４ａにより検出されたヒトの顔の大きさ情報を用いて、被写体までの距離を所定の換算手段（例えば、換算プログラムや換算テーブル等）により算出する（ステップＳ２３）。そして、第２撮影制御部６ｄは、算出された被写体までの距離からレンズ部３ａのフォーカスレンズの合焦位置を算出する（ステップＳ２４）。
続けて、第２撮影制御部６ｄは、算出された被写体までの距離に応じて撮像部３により被写体を本撮影する際の発光部５の発光量（発光強度や発光時間等）を決定する（ステップＳ２５）。
【００４７】
その後、動作制御部６は、処理をステップＳ２０に移行し、上記と同様に、ユーザによる操作入力部９のシャッタボタンの全押し操作に基づいて（ステップＳ２０）、撮像部３は、被写体の本撮影を行う（ステップＳ２１）。
【００４８】
一方、ステップＳ２２にて、ヒトの顔を検出していないと判定されると（ステップＳ２２；ＮＯ）、発光制御部６ｃは、被写体がより明るくなるように発光量を変更して発光部５を発光させる（ステップＳ２６）。
その後、動作制御部６は、処理をステップＳ５に移行し、それ以降の各処理を実行させる。
【００４９】
以上のように、本実施形態の撮像装置１００によれば、被写体の撮影条件を、被写体に係る第１の情報を用いた第１の制御方法により制御し、第１の制御方法での被写体の撮影条件の制御の際に発光部５を発光させるとともに、撮像部３の撮影画角内から被写体としてのヒトの顔が検出されると、発光部５の発光量を低減させ、この場合に、被写体の撮影条件を、第１の制御方法とは異なる第２の制御方法により制御するので、発光部５を発光させて被写体を撮影する場合の撮影制御を適正に行うことができるのは勿論のこと、被写体がヒトの場合に発光部５の発光量を低減させても、発光部５の発光と関連する撮影制御を適正に行うことができる。
【００５０】
すなわち、撮像部３による被写体の本撮影前の仮撮影にて、当該本撮影の際の撮影条件の制御に用いられる第１の情報、例えば、被写体の画像のコントラスト情報を取得し、第１の制御方法として、コントラスト情報を用いたコントラスト方式の第１の自動合焦制御方法によって、撮像部３により被写体を撮影する際の合焦位置を制御するので、仮撮影にて取得された被写体の画像のコントラスト情報に基づいて、発光部５を発光させて被写体を本撮影する場合の撮影制御を適正に行うことができる。
さらに、被写体がヒトであり、発光部５の発光量を低減させたことに起因して取得されたコントラスト情報（第１の情報）の評価値が低くなる場合に、撮像部３により被写体を本撮影する際の撮影条件を、顔検出部４ａにより検出されたヒトに係る第２の情報を用いた第２の制御方法により制御することができる。具体的には、顔検出部４ａにより検出されたヒトの顔の大きさ情報を用いて特定される被写体までの距離情報に基づく第２の自動合焦制御方法によって、撮像部３により被写体を本撮影する際の合焦位置を制御するので、被写体がヒトの場合に発光部５の発光量を低減させても、検出された当該ヒトの顔の大きさに基づいて被写体までの距離を特定し、被写体を本撮影する際の自動合焦制御を適正に行うことができる。
また、顔検出部４ａによるヒトの顔を検出する処理にて、ヒトの顔を検出する処理には十分な発光量で発光部５を発光させるので、被写体としてのヒトの顔が検出されるか否か、すなわち、被写体がヒトであるか否かの判定を適正に行うことができる。つまり、自動合焦制御には十分でない発光量で発光部５を発光させても、被写体としてのヒトの顔が検出された場合には、検出されたヒトの顔の大きさ情報を用いて被写体までの距離を特定し、被写体を本撮影する際の自動合焦制御を適正に行うことができる。さらに、ヒトに対する発光部５の発光の眩しさを低減させた発光量で発光させるので、被写体としてのヒトの顔が検出されても、検出されたヒトに眩しさを感じさせ難くすることができる。
【００５１】
また、撮像部３により撮影された被写体に対する合焦結果に基づいて被写体までの距離情報を取得し、第１の制御方法として、被写体までの距離情報に基づく第１の発光制御方法によって、撮像部３により被写体を撮影する際の発光部５の発光条件を決定する制御を行うので、例えば、被写体までの距離に応じて発光量を変化させるように発光部５の発光強度や発光時間等を決定することができ、発光部５を発光させて被写体を撮影する場合の撮影制御を適正に行うことができる。
さらに、被写体がヒトであり、発光部５の発光量を低減させたことに起因して取得された被写体までの距離情報の確度が低くなる場合に、顔検出部４ａにより検出されたヒトの顔の大きさ情報を用いて特定される被写体までの距離情報に基づく第２の発光制御方法によって、撮像部３により被写体を本撮影する際の発光部の発光条件を決定する制御を行うので、被写体がヒトの場合に発光部５の発光量を低減させても、検出された当該ヒトの顔の大きさに基づいて被写体までの距離を特定し、特定された被写体までの距離に応じて発光量を変化させるように発光部５の発光強度や発光時間等を決定することができ、発光部５を発光させて被写体を本撮影する場合の撮影制御を適正に行うことができる。
【００５２】
なお、上記実施形態で例示した撮影処理のフローチャートは、一例であってこれに限られるものではなく、適宜任意に変更可能である。
例えば、ステップＳ５にて、ヒトの顔を検出したと判定された場合には（ステップＳ５；ＹＥＳ）、発光制御部６ｃは、発光部５を消灯させた状態とした後、動作制御部６は、ステップＳ６〜Ｓ２２の各処理をスキップして、第２撮影制御部６ｄは、顔検出部４ａにより検出されたヒトの顔の大きさ情報を用いて被写体までの距離を算出し（ステップＳ２３）、算出された被写体までの距離からレンズ部３ａのフォーカスレンズの合焦位置を算出しても良い（ステップＳ２４）。また、ステップＳ５にて、ヒトの顔を検出していないと判定された場合には（ステップＳ５；ＮＯ）、動作制御部６は、ステップＳ６〜Ｓ１６の各処理をスキップして、第１撮影制御部６ｂは、情報取得部６ａにより取得されたコントラスト情報に基づいて、コントラストが最も高くなるようにレンズ部３ａのフォーカスレンズの合焦位置を調整しても良い（ステップＳ１７）。
【００５３】
また、上記実施形態では、コントラスト情報を用いて合焦位置を調整する例で説明したが、コントラスト情報以外の情報を用いて合焦位置以外の撮影条件を調整する場合に適用してもよい。つまり、発光部５の発光量を低減させたことに起因して、撮影条件の調整に用いる第１の情報の確度が低下し、この場合に、他の第２の情報を用いた調整方法で代替できるのであれば、コントラスト情報や、合焦位置の調整には限らない。
例えば、ホワイトバランス調整において、発光部５の発光量を低減させたことに起因して、画像全体から取得される色情報の確度が低下する場合には、検出された顔部分の色情報のみを用いてホワイトバランス調整を行うようにしてもよい。この場合、予め登録された個人の顔の色情報と、実際の撮影画像内の顔部分から検出される色情報との差分によりホワイトバランスの調整値を決定するようにしてもよい。
【００５４】
なお、本発明は、上記実施形態に限定されることなく、本発明の趣旨を逸脱しない範囲において、種々の改良並びに設計の変更を行っても良い。
以下に、撮像装置１００の変形例について図４を参照して説明する。
【００５５】
図４は、撮像装置１００の変形例に係る発光部５の発光量と被写体までの距離との対応関係を説明するための図である。
この変形例の撮像装置１００は、被写体までの距離に応じて発光部５の発光量を変化させる際に、第１撮影制御部６ｂと第２撮影制御部６ｄとで優先させる内容を異ならせて制御している。
【００５６】
すなわち、第１撮影制御部６ｂは、例えば、撮像部３により被写体を撮影（例えば、仮撮影や本撮影等）する際に、撮影される被写体が十分な明るさとなるように当該被写体までの距離に応じて発光量を変化させる第１の変化方法によって、発光部５の発光条件（例えば、発光強度や発光時間等）を決定する制御を行う。この第１の変化方法に係る発光部５の発光量と被写体までの距離との対応関係は、例えば、図４中の一点鎖線で模式的に表される。
また、第２撮影制御部６ｄは、顔検出部４ａによりヒトの顔が検出された場合に、撮像部３により被写体を本撮影する際に、検出されたヒトに対する発光部５の発光の眩しさを低減させるように当該被写体までの距離に応じて発光量を変化させる第１の変化方法とは異なる第２の変化方法によって、発光部５の発光条件（例えば、発光強度や発光時間等）を決定する制御を行う。この第２の変化方法に係る発光部５の発光量と被写体までの距離との対応関係は、例えば、図４中の二点鎖線で模式的に表される。
つまり、発光部５の発光条件（例えば、発光強度や発光時間等）を決定する制御において、顔検出部４ａによりヒトの顔が検出されたか否かに応じて、第１の変化方法によって被写体までの距離に応じて発光量を変化させるか、或いは、第２の変化方法によって被写体までの距離に応じて発光量を変化させるかを切り替えて制御することができる。
【００５７】
なお、図４中では、一点鎖線と二点鎖線が所定の距離で交わっており、被写体までの距離が一点鎖線と二点鎖線の交点までは二点鎖線で表される第２の変化方法に係る発光部５の発光量と被写体までの距離との対応関係に基づいて、また、一点鎖線と二点鎖線の交点以降は一点鎖線で表される第１の変化方法に係る発光部５の発光量と被写体までの距離との対応関係に基づいて、発光部５の発光条件を決定する制御を行っても良い（図４中、太線で表される対応関係）。
すなわち、図４中の太線で表される対応関係に基づいて、被写体までの距離に応じて発光量を変化させることで、常に、撮影される被写体としてのヒトに対する発光部５の発光の眩しさを低減させつつ、被写体の明るさを確保することができる。
【００５８】
また、第１の変化方法によって被写体までの距離に応じて発光量を変化させるか、或いは、第２の変化方法によって被写体までの距離に応じて発光量を変化させるかを、顔検出部４ａにより検出されるヒトの顔の有無と、撮像部３により動画像を撮影するか或いは静止画像を撮影するかの撮影条件との組み合わせに基づいて、切り替えても良い。
すなわち、例えば、被写体の撮影モードとして動画像撮影モードが設定され、撮像部３により動画像を撮影する場合、発光部５を常時発光させると、被写体として検出されたヒトに対する発光部５の発光の眩しさの低減を優先して、被写体までの距離に応じて厳密に発光部５の発光量を決定することができる。一方、被写体の撮影モードとして静止画像撮影モードが設定され、撮像部３により静止画像を撮影する場合、発光部５を一瞬だけ発光させるため、被写体として検出されたヒトに対する発光部５の発光の眩しさの低減よりも被写体が十分な明るさとなることを優先することができる。
【００５９】
また、第１の変化方法によって被写体までの距離に応じて発光量を変化させるか、或いは、第２の変化方法によって被写体までの距離に応じて発光量を変化させるかを、顔検出部４ａにより検出されるヒトの顔の有無と、被写体の撮影モードが自分撮りモードであるか否かの撮影条件との組み合わせに基づいて、切り替えても良い。
すなわち、例えば、撮影モードとして自分撮りモードが設定され、ユーザが自分撮りを行う場合、ユーザの顔と撮像装置１００との間の距離が相対的に短くなることから、自分撮りしているユーザ自身が眩しくないように発光部５の発光の眩しさの低減を優先して、被写体までの距離に応じて厳密に発光部５の発光量を決定することができる。一方、撮影モードとして自分撮りモードが設定されておらず、ユーザが自分撮りを行わない場合、被写体と撮像装置１００との間の距離が相対的に長くなることが多いため、被写体として検出されたヒトに対する発光部５の発光の眩しさの低減よりも被写体が十分な明るさとなることを優先することができる。
【００６０】
さらに、撮像装置１００の構成は、上記実施形態に例示したものは一例であり、これに限られるものではない。
【００６１】
加えて、上記実施形態にあっては、第１撮影制御手段、検出手段、発光制御手段、第２撮影制御手段としての機能を、中央制御部１の制御下にて、第１撮影制御部６ｂ、顔検出部４ａ、発光制御部６ｃ、第２撮影制御部６ｄが駆動することにより実現される構成としたが、これに限られるものではなく、中央制御部１のＣＰＵによって所定のプログラム等が実行されることにより実現される構成としても良い。
すなわち、プログラムメモリ（図示略）に、第１撮影制御処理ルーチン、検出処理ルーチン、発光制御処理ルーチン、第２撮影制御処理ルーチンを含むプログラムを記録しておく。そして、第１撮影制御処理ルーチンにより中央制御部１のＣＰＵを、撮像部３により撮影される被写体の撮影条件を、被写体に係る第１の情報を用いた第１の制御方法により制御する手段として機能させるようにしても良い。また、検出処理ルーチンにより中央制御部１のＣＰＵを、撮像部３の撮影画角内から被写体としてのヒトの顔を検出する手段として機能させるようにしても良い。また、発光制御処理ルーチンにより中央制御部１のＣＰＵを、第１の制御方法での被写体の撮影条件の制御の際に発光部５を発光させるとともに、ヒトの顔が検出されると、発光部５の発光量を低減させる手段として機能させるようにしても良い。また、第２撮影制御処理ルーチンにより中央制御部１のＣＰＵを、発光部５の発光量を低減させた場合に、被写体の撮影条件を、第１の制御方法とは異なる第２の制御方法により制御する手段として機能させるようにしても良い。
【００６２】
同様に、取得手段についても、中央制御部１のＣＰＵによって所定のプログラム等が実行されることにより実現される構成としても良い。
【００６３】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００６４】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
撮像手段と、
前記撮像手段による被写体の撮影の際に発光可能な発光手段と、
前記撮像手段により撮影される被写体の撮影条件を、被写体に係る第１の情報を用いた第１の制御方法により制御する第１撮影制御手段と、
前記撮像手段の撮影画角内から被写体としてのヒトの顔を検出する検出手段と、
前記第１撮影制御手段による前記第１の制御方法での被写体の撮影条件の制御の際に前記発光手段を発光させるとともに、前記検出手段によりヒトの顔が検出されると、前記発光手段の発光量を低減させる発光制御手段と、
前記発光制御手段により前記発光手段の発光量を低減させた場合に、被写体の撮影条件を、前記第１の制御方法とは異なる第２の制御方法により制御する第２撮影制御手段と、
を備えたことを特徴とする撮像装置。
＜請求項２＞
前記撮像手段による被写体の撮影の際の撮影条件の制御に用いられる前記第１の情報を取得する取得手段を更に備え、
前記第２撮影制御手段は、前記発光制御手段により前記発光手段の発光量を低減させたことに起因して前記取得手段により取得される前記第１の情報の確度が低くなる場合に、前記撮像手段により被写体を撮影する際の撮影条件を、前記第１の情報とは異なる情報であって前記検出手段により検出されたヒトの顔に係る第２の情報を用いた前記第２の制御方法により制御することを特徴とする請求項１に記載の撮像装置。
＜請求項３＞
前記取得手段は、前記撮像手段による被写体の本撮影前の仮撮影にて、当該本撮影の際の撮影条件の制御に用いられる前記第１の情報を取得し、
前記第２撮影制御手段は、前記発光制御手段により前記発光手段の発光量を低減させたことに起因して前記取得手段により取得される前記第１の情報の確度が低くなる場合に、前記撮像手段により被写体を本撮影する際の撮影条件を、前記第１の情報とは異なる情報であって前記検出手段により検出されたヒトの顔に係る第２の情報を用いた前記第２の制御方法により制御することを特徴とする請求項２に記載の撮像装置。
＜請求項４＞
前記取得手段は、前記撮像手段により撮影された被写体の画像のコントラスト情報を取得し、
前記第１撮影制御手段は、前記取得手段により取得された前記コントラスト情報を用いたコントラスト方式の第１の自動合焦制御方法によって、前記撮像手段により被写体を撮影する際の合焦位置を制御し、
前記第２撮影制御手段は、前記発光制御手段により前記発光手段の発光量を低減させたことに起因して前記取得手段により取得される前記コントラスト情報の評価値が低くなる場合に、前記検出手段により検出されたヒトの顔の大きさ情報を用いて特定される被写体までの距離情報に基づく第２の自動合焦制御方法によって、前記撮像手段により被写体を撮影する際の合焦位置を制御することを特徴とする請求項２又は３に記載の撮像装置。
＜請求項５＞
前記発光制御手段は、前記検出手段によるヒトの顔を検出する処理にて、当該ヒトの顔を検出する処理には十分で、且つ、自動合焦制御には十分でない発光量で前記発光手段を発光させることを特徴とする請求項４に記載の撮像装置。
＜請求項６＞
前記発光制御手段は、前記検出手段によるヒトの顔を検出する処理にて、当該ヒトの顔を検出する処理には十分で、且つ、検出されるヒトに対する前記発光手段の発光の眩しさを低減させた発光量で前記発光手段を発光させることを特徴とする請求項４に記載の撮像装置。
＜請求項７＞
前記取得手段は、前記撮像手段により撮影された被写体に対する合焦結果に基づいて被写体までの距離情報を取得し、
前記第１撮影制御手段は、前記取得手段により取得された前記距離情報に基づく第１の発光制御方法によって、前記撮像手段により被写体を撮影する際の前記発光手段の発光条件を決定する制御を行い、
前記第２撮影制御手段は、前記発光制御手段により前記発光手段の発光量を低減させたことに起因して前記取得手段により取得される前記距離情報の確度が低くなる場合に、前記検出手段により検出されたヒトの顔の大きさ情報を用いて特定される被写体までの距離情報に基づく第２の発光制御方法によって、前記撮像手段により被写体を本撮影する際の前記発光手段の発光条件を決定する制御を行うことを特徴とする請求項２又は３に記載の撮像装置。
＜請求項８＞
前記発光制御手段は、前記検出手段によりヒトの顔が検出されると、検出されたヒトに対する前記発光手段の発光の眩しさを低減させるように発光量を低減させることを特徴とする請求項１〜７の何れか一項に記載の撮像装置。
＜請求項９＞
前記第１撮影制御手段は、前記撮像手段により撮影される被写体が十分な明るさとなるように当該被写体までの距離に応じて発光量を変化させる第１の変化方法によって、前記発光手段の発光条件を決定する制御を行い、
前記第２撮影制御手段は、前記検出手段によりヒトの顔が検出された場合に、検出されたヒトに対する前記発光手段の発光の眩しさを低減させるように当該被写体までの距離に応じて発光量を変化させる前記第１の変化方法とは異なる第２の変化方法によって、前記発光手段の発光条件を決定する制御を行うことを特徴とする請求項２に記載の撮像装置。
＜請求項１０＞
前記第１の変化方法及び前記第２の変化方法は、前記検出手段により検出されるヒトの顔の有無と、前記撮像手段により被写体の動画像を撮影するか或いは静止画像を撮影するかの撮影条件との組み合わせに基づいて、切り替えられることを特徴とする請求項９に記載の撮像装置。
＜請求項１１＞
前記第１の変化方法及び前記第２の変化方法は、前記検出手段により検出されるヒトの顔の有無と、被写体の撮影モードが自分撮りモードであるか否かの撮影条件との組み合わせに基づいて、切り替えられることを特徴とする請求項９又は１０に記載の撮像装置。
＜請求項１２＞
撮像手段と、前記撮像手段による被写体の撮影の際に発光可能な発光手段と、を備える撮像装置を用いた撮像方法であって、
前記撮像手段により撮影される被写体の撮影条件を、被写体に係る第１の情報を用いた第１の制御方法により制御する第１撮影制御ステップと、
前記撮像手段の撮影画角内から被写体としてのヒトの顔を検出する検出ステップと、
前記第１撮影制御ステップによる前記第１の制御方法での被写体の撮影条件の制御の際に前記発光手段を発光させるとともに、前記検出ステップによりヒトの顔が検出されると、前記発光手段の発光量を低減させる発光制御ステップと、
前記発光制御ステップにより前記発光手段の発光量を低減させた場合に、被写体の撮影条件を、前記第１の制御方法とは異なる第２の制御方法により制御する第２撮影制御ステップと、
を含むことを特徴とする撮像方法。
＜請求項１３＞
撮像手段と、前記撮像手段による被写体の撮影の際に発光可能な発光手段と、を備える撮像装置が有するコンピュータを、
前記撮像手段により撮影される被写体の撮影条件を、被写体に係る第１の情報を用いた第１の制御方法により制御する第１撮影制御手段、
前記撮像手段の撮影画角内から被写体としてのヒトの顔を検出する検出手段、
前記第１撮影制御手段による前記第１の制御方法での被写体の撮影条件の制御の際に前記発光手段を発光させるとともに、前記検出手段によりヒトの顔が検出されると、前記発光手段の発光量を低減させる発光制御手段、
前記発光制御手段により前記発光手段の発光量を低減させた場合に、被写体の撮影条件を、前記第１の制御方法とは異なる第２の制御方法により制御する第２撮影制御手段、
として機能させることを特徴とするプログラム。
【符号の説明】
【００６５】
１００  撮像装置
１      中央制御部
３      撮像部
４      画像処理部
４ａ    顔検出部
５      発光部
６      動作制御部
６ａ    情報取得部
６ｂ    第１撮影制御部
６ｃ    発光制御部
６ｄ    第２撮影制御部
【図１】
2017011636.tif 000003
【図２】
2017011636.tif 000004
【図３】
2017011636.tif 000005
【図４】
2017011636.tif 000006